(57)【要約】【課題】電力線通信に使用するＡＣ電力線の伝送路状態が不良である場合にも、データ伝送の信頼性を確保して正常な電力線通信を行うことが可能な電力線通信装置を提供することを目的とする。【解決手段】商用ＡＣ電力線に多くのノイズが発生していて伝送路状態が不良である場合には、データ伝送の信頼性を確保した上で、第１のＡＣ／信号重畳分離部２、電力線通信処理部５を介して受信し、一度電力線通信に必要な処理を解いた上で映像信号を記憶部６に蓄積した後に、再度電力線通信処理部５、第２のＡＣ／信号重畳分離部３を介して電力線通信に必要な処理を施して、ノイズを除去した第２のＡＣ電力に重畳して、ＡＣ電力供給端子部８に接続された電力線通信対応機器に伝送する。【選択図】図１
2007235798.tif 000002
【特許請求の範囲】
【請求項１】
電源供給を行うＡＣ電力線を介して映像信号や音声信号および制御信号などの情報信号を伝送する電力線通信装置において、前記ＡＣ電力線に接続される複数のＡＣ電力線接続部を備え、前記ＡＣ電力線接続部のうち少なくとも１個は電力線通信に使用する周波数帯域内の信号成分を除去したＡＣ電力に、前記情報信号に電力線通信に必要な処理を施した電力線通信情報信号を重畳した電力線通信信号を伝送できることを特徴とする電力線通信装置。
【請求項２】
ＡＣ電力線に接続される第１および第２のＡＣ電力線接続部と、ＡＣ電力と電力線通信情報信号とを分離または重畳する第１および第２のＡＣ／信号重畳分離部と、前記電力線通信情報信号の出力先を選択する選択部と、前記電力線通信情報信号から情報信号を取り出し、または前記情報信号に電力線通信に必要な処理を施す電力線通信処理部と、前記情報信号を記憶する記憶部と、前記ＡＣ電力からノイズを除去するノイズフィルタ部とを備えたことを特徴とする請求項１記載の電力線通信装置。
【請求項３】
映像信号や音声信号および制御信号などの情報信号を、第１のＡＣ電力線接続部に接続された商用ＡＣ電力線を介して受信して記憶する場合には、第１のＡＣ／信号重畳分離部は、第１のＡＣ電力に第１の電力線通信情報信号が重畳された第１の電力線通信信号を、前記商用ＡＣ電力線から前記第１のＡＣ電力線接続部を介して受信して、前記第１のＡＣ電力と前記第１の電力線通信情報信号に分離して出力し、ノイズフィルタ部は、前記第１のＡＣ／信号重畳分離部から出力された前記第１のＡＣ電力から、電力線通信に使用する周波数帯域内の信号成分を除去し第２のＡＣ電力として、第２のＡＣ／信号重畳分離部に出力するとともに、選択部は、前記第１のＡＣ／信号重畳分離部から出力された前記第１の電力線通信情報信号を選択して電力線通信処理部に出力し、前記電力線通信処理部は、前記選択部から出力された前記第１の電力線通信情報信号から第１の情報信号を取得して記憶部に出力し、前記記憶部は前記第１の情報信号を記憶し、
前記記憶部に記憶された前記第１の情報信号を第２のＡＣ電力線接続部から送信する場合には、
前記記憶部は記憶された前記第１の情報信号を読み出し、前記電力線通信処理部に出力し、前記電力線通信処理部は、前記第１の情報信号に電力線通信に必要な処理を施して第２の電力線通信情報信号として前記選択部に出力し、前記選択部は、前記第２の電力線通信情報信号の出力先として前記第２のＡＣ／信号重畳分離部を選択して出力し、前記第２のＡＣ／信号重畳分離部は、前記第２の電力線通信情報信号を前記第２のＡＣ電力に重畳して、第２の電力線通信信号として前記第２のＡＣ電力線接続部を介して出力することを特徴とする請求項２記載の電力線通信装置。
【請求項４】
映像信号や音声信号および制御信号などの情報信号を、第２のＡＣ電力線接続部に接続されたＡＣ電力線を介して受信して記憶する場合には、前記第２のＡＣ電力線接続部を介して第２のＡＣ電力に第３の電力線通信情報信号が重畳された第３の電力線通信信号が入力され、第２のＡＣ／信号重畳分離部は、前記第２のＡＣ電力線接続部から入力された前記第３の電力線通信信号を受信して、前記第２のＡＣ電力と前記第３の電力線通信情報信号に分離して出力し、選択部は、前記第２のＡＣ／信号重畳分離部から出力された前記第３の電力線通信情報信号を選択して電力線通信処理部に出力し、前記電力線通信処理部は、前記選択部から出力された前記第３の電力線通信情報信号から第２の情報信号を取得して記憶部に出力し、前記記憶部は前記第２の情報信号を記憶し、
前記記憶部に記憶された前記第２の情報信号を商用ＡＣ電力線を介して送信する場合には、前記記憶部は記憶された前記第２の情報信号を読み出し、前記電力線通信処理部に出力し、前記電力線通信処理部は、前記第２の情報信号に電力線通信に必要な処理を施して、第４の電力線通信情報信号として前記選択部に出力し、前記選択部は、前記第４の電力線通信情報信号の出力先として第１のＡＣ／信号重畳分離部を選択して出力し、前記第１のＡＣ／信号重畳分離部は、前記第４の電力線通信情報信号を第１のＡＣ電力に重畳して、第４の電力線通信信号として第１のＡＣ電力線接続部を介して出力することを特徴とする請求項２記載の電力線通信装置。
【請求項５】
電力線通信処理部は、入力される電力線通信情報信号から電力線通信に使用されるＡＣ電力線の伝送路状態を検出し、前記ＡＣ電力線の伝送路状態が良好な場合には、高速伝送に適した方式で通信を行い、前記ＡＣ電力線の伝送路状態が不良な場合には、耐ノイズ性の高い方式で通信を行うことを特徴とする請求項２乃至請求項４のいずれかに記載の電力線通信装置。
【請求項６】
ＡＣ電力線に接続される第１および第２のＡＣ電力線接続部と、重畳されたＡＣ電力と電力線通信情報信号の出力先を選択する選択部と、前記ＡＣ電力と前記電力線通信情報信号とを分離または重畳する信号重畳分離部と、前記電力線通信情報信号から情報信号を取り出しまたは前記情報信号に電力線通信に必要な処理を施す電力線通信処理部と、前記情報信号を記憶する記憶部と、前記ＡＣ電力からノイズを除去するノイズフィルタ部とを備えたことを特徴とする請求項１記載の電力線通信装置。
【請求項７】
映像信号や音声信号および制御信号などの情報信号を、第１のＡＣ電力線接続部に接続された商用ＡＣ電力線を介して受信して記憶する場合には、選択部は、第１のＡＣ電力に第１の電力線通信情報信号が重畳された第１の電力線通信信号を、前記商用ＡＣ電力線から前記第１のＡＣ電力線接続部を介して受信して、出力先として信号重畳分離部および第２のＡＣ電力線接続部を選択して出力し、前記第２のＡＣ電力線接続部は前記第１の電力線通信信号を外部機器に出力し、
前記信号重畳分離部は、前記選択部から出力された前記第１の電力線通信信号から、前記第１の電力線通信情報信号を分離して出力し、電力線通信処理部は、前記信号重畳分離部から出力された前記第１の電力線通信情報信号から第１の情報信号を取得して出力し、記憶部は、前記電力線通信処理部から出力された前記第１の情報信号を記憶し、
前記記憶部に記憶された前記第１の情報信号を前記第２のＡＣ電力線接続部から送信する場合には、前記選択部は、前記第１の電力線通信信号または前記第１のＡＣ電力を前記商用ＡＣ電力線から前記第１のＡＣ電力線接続部を介して受信して、出力先としてノイズフィルタ部を選択して出力し、前記ノイズフィルタ部は、前記選択部から出力された前記第１の電力線通信信号または前記第１のＡＣ電力から、電力線通信に使用する周波数帯域内の信号成分を除去して第２のＡＣ電力を取得し、前記記憶部は記憶された前記第１の情報信号を読み出し、前記電力線通信処理部は、前記記憶部から読み出された前記第１の情報信号に、電力線通信に必要な処理を施して第２の電力線通信情報信号を生成して出力し、前記信号重畳分離部は、前記電力線通信処理部から出力された前記第２の電力線通信情報信号を前記第２のＡＣ電力に重畳して、第２の電力線通信信号を生成して出力し、前記第２のＡＣ電力線接続部は前記第２の電力線通信信号を外部機器に出力することを特徴とする請求項６記載の電力線通信装置。
【請求項８】
映像信号や音声信号および制御信号などの情報信号を、第２のＡＣ電力線接続部に接続されたＡＣ電力線を介して受信して記憶する場合には、選択部は、商用ＡＣ電力線から第１のＡＣ電力線接続部を介して第１の電力線通信信号または第１のＡＣ電力を受信して、出力先としてノイズフィルタ部を選択して出力し、前記ノイズフィルタ部は、前記選択部から出力された前記第１の電力線通信信号または第１のＡＣ電力から、電力線通信に使用する周波数帯域内の信号成分を除去して第２のＡＣ電力を取得し、
前記第２のＡＣ電力線接続部は、接続された前記ＡＣ電力線を介して、前記第２のＡＣ電力に第３の電力線通信情報信号が重畳された第３の電力線通信信号を入力され、信号重畳分離部は、前記第２のＡＣ電力線接続部から入力された前記第３の電力線通信信号を受信して、前記第３の電力線通信情報信号を分離して出力し、電力線通信処理部は、前記信号重畳分離部から出力された前記第３の電力線通信情報信号から第２の情報信号を取得して出力し、記憶部は、前記電力線通信処理部から出力された前記第２の情報信号を記憶し、
前記記憶部に記憶された前記第２の情報信号を前記商用ＡＣ電力線を介して送信する場合には、前記選択部は、前記商用ＡＣ電力線を介して前記第１のＡＣ電力を受信して、出力先として前記信号重畳分離部および前記第２のＡＣ電力線接続部を選択して出力し、前記記憶部は記憶された前記第２の情報信号を読み出し、前記電力線通信処理部は、前記記憶部から読み出された前記第２の情報信号に、電力線通信に必要な処理を施して第４の電力線通信情報信号を生成して出力し、前記信号重畳分離部は、前記電力線通信処理部から出力された前記第４の電力線通信情報信号を前記第１のＡＣ電力に重畳して、第４の電力線通信信号を生成して前記選択部に出力し、前記選択部は、前記第４の電力線通信信号を選択して、前記第１のＡＣ電力線接続部から前記商用ＡＣ電力線を介して出力することを特徴とする請求項６記載の電力線通信装置。
【請求項９】
電力線通信処理部は、入力される電力線通信情報信号から電力線通信に使用されるＡＣ電力線の伝送路状態を検出し、前記ＡＣ電力線の伝送路状態が良好な場合には、高速伝送に適した方式で通信を行い、前記ＡＣ電力線の伝送路状態が不良な場合には、耐ノイズ性の高い方式で通信を行うことを特徴とする請求項６乃至請求項８のいずれかに記載の電力線通信装置。
【請求項１０】
ＡＣ電力線に接続される第１および第２のＡＣ電力線接続部と、ＡＣ電力と電力線通信情報信号とを分離または重畳する第１および第２のＡＣ／信号重畳分離部と、前記電力線通信情報信号から情報信号を取り出しまたは前記情報信号に電力線通信に必要な処理を施す第１および第２の電力線通信処理部と、前記情報信号を記憶する記憶部と、前記ＡＣ電力からノイズを除去するノイズフィルタ部とを備えたことを特徴とする請求項１記載の電力線通信装置。
【請求項１１】
映像信号や音声信号および制御信号などの情報信号を商用ＡＣ電力線から第１のＡＣ電力線接続部を介して受信して記憶する場合には、第１のＡＣ／信号重畳分離部は、第１のＡＣ電力に第１の電力線通信情報信号が重畳された第１の電力線通信信号を、前記商用ＡＣ電力線から前記第１のＡＣ電力線接続部を介して受信して、前記第１のＡＣ電力と前記第１の電力線通信情報信号に分離して出力し、ノイズフィルタ部は、前記第１のＡＣ／信号重畳分離部から出力された前記第１のＡＣ電力から、電力線通信に使用する周波数帯域内の信号成分を除去して第２のＡＣ電力を取得し、
第２のＡＣ／信号重畳分離部は、前記ノイズフィルタ部から出力された前記第２のＡＣ電力を第２のＡＣ電力線接続部に出力し、前記第２のＡＣ電力線接続部は、前記第２のＡＣ電力を外部機器に出力し、第１の電力線通信処理部は、前記第１のＡＣ／信号重畳分離部から出力された前記第１の電力線通信情報信号から第１の情報信号を取得して出力し、記憶部は、前記第１の電力線通信処理部から出力された前記第１の情報信号を記憶し、
前記記憶部に記憶された前記第１の情報信号を前記第２のＡＣ電力線接続部から送信する場合には、前記記憶部は、記憶された前記第１の情報信号を読み出し、第２の電力線通信処理部は、前記記憶部から読み出された前記第１の情報信号に電力線通信に必要な処理を施して、第２の電力線通信情報信号を生成して出力し、前記第２のＡＣ／信号重畳分離部は、前記第２の電力線通信処理部から出力された前記第２の電力線通信情報信号を前記第２のＡＣ電力に重畳して、第２の電力線通信信号を生成して出力し、前記第２のＡＣ電力線接続部は、前記第２の電力線通信信号を外部機器に出力することを特徴とする請求項１０記載の電力線通信装置。
【請求項１２】
映像信号や音声信号および制御信号などの情報信号を、第２のＡＣ電力線接続部に接続されたＡＣ電力線を介して受信して記憶する場合には、前記第２のＡＣ電力線接続部は、接続された前記ＡＣ電力線を介して、第２のＡＣ電力に第３の電力線通信情報信号が重畳された第３の電力線通信信号を入力され、第２のＡＣ／信号重畳分離部は、前記第２のＡＣ電力線接続部から入力された前記第３の電力線通信信号を受信して、前記第２のＡＣ電力と前記第３の電力線通信情報信号に分離して出力し、第２の電力線通信処理部は、前記第２のＡＣ／信号重畳分離部から出力された前記第３の電力線通信情報信号から第２の情報信号を取得して出力し、記憶部は、前記第２の電力線通信処理部から出力された前記第２の情報信号を記憶し、前記記憶部に記憶された前記第２の情報信号を商用ＡＣ電力線を介して送信する場合には、前記記憶部は記憶された前記第２の情報信号を読み出し、第１の電力線通信処理部は、前記記憶部から読み出された前記第２の情報信号に電力線通信に必要な処理を施して、第４の電力線通信情報信号を生成して出力し、第１のＡＣ／信号重畳分離部は、前記第１の電力線通信処理部から出力された前記第４の電力線通信情報信号を第１のＡＣ電力に重畳して、第４の電力線通信信号を生成して、第１のＡＣ電力線接続部から前記商用ＡＣ電力線を介して出力することを特徴とする電力線通信装置。
【請求項１３】
第１および第２の電力線通信処理部は、入力される電力線通信情報信号から電力線通信に使用されるＡＣ電力線の伝送路状態を検出し、前記ＡＣ電力線の伝送路状態が良好な場合には、高速伝送に適した方式で通信を行い、前記ＡＣ電力線の伝送路状態が不良な場合には、耐ノイズ性の高い方式で通信を行うことを特徴とする請求項１０乃至請求項１２のいずれかに記載の電力線通信装置。
【請求項１４】
第１の電力線通信処理部から記憶部への書き込み動作と前記記憶部から第２の電力線通信処理部への読み出し動作、および前記第２の電力線通信処理部から前記記憶部への書き込み動作と前記記憶部から前記第１の電力線通信処理部への読み出し動作は同時に行うことができることを特徴とする請求項１０乃至請求項１３のいずれかに記載の電力線通信装置。
【発明の詳細な説明】
【技術分野】
【０００１】
本発明は、電力線通信（Ｐｏｗｅｒ  Ｌｉｎｅ  Ｃｏｍｍｕｎｉｃａｔｉｏｎ）を用いて映像信号や音声信号および制御信号などの伝送を行う電力線通信装置に関するものである。
【背景技術】
【０００２】
近年、家電機器等にＡＣ電力を供給するための既存の商用ＡＣ電力線を利用して、ＡＣ電力に映像信号や音声信号および制御信号など各種情報を重畳することにより伝送する電力線通信技術が注目されている。この電力線通信技術をＡＶ機器等に導入することにより、機器間の映像信号や音声信号等を伝送するために電源ケーブルを電源コンセントに接続するだけで、新たなケーブルを配線する必要がないため、ユーザの利便性を向上させることができる。
【０００３】
通常、電力線通信技術を用いたＡＶ機器等の電力線通信装置は、家庭内等において商用ＡＣ電力線に接続して使用される。この商用ＡＣ電力線には、この電力線通信装置以外にも、様々な家電機器などが接続されて動作している環境が想定される。このような家電機器の中には、電力線通信装置が通信のために使用している周波数帯域内に相当する周波数である高周波ノイズを発生させたり、接続するだけで商用ＡＣ電力線のインピーダンスを変動させる機器も存在する。各家庭内の商用ＡＣ電力線に接続される家電機器はそれぞれ異なり、さらに同一家庭内でも時間帯によって異なる機器が接続されている。言い換えれば、商用ＡＣ電力線を電力線通信の伝送路と見なした場合の伝送路状態は時々刻々と変化しているため、このようなＡＣ電力線を使用して電力線通信を行う場合に最高の性能すなわち最大のデータ伝送速度で誤りのない通信を実現するためには、その時々の伝送路状態に応じて電力線通信装置の伝送方式等を変化させる必要がある。
【０００４】
これを解決するために、従来の電力線通信装置では、使用しているＡＣ電力線にノイズが多い場合、すなわち伝送路状態が不良である場合には、伝送速度を犠牲にしてでも耐ノイズ性の高い伝送方式に移行し、ＡＣ電力線に比較的ノイズが少ない場合、すなわち伝送路状態が良好である場合には、高速伝送に適した伝送方式に移行して伝送することで、伝送路状態に合わせた電力線通信を実現するものが提案されている。
【０００５】
以下に従来の電力線通信装置について説明する。
【０００６】
従来、電力線通信装置は例えば特許文献１に記載されたものが知られている。図４は従来の電力線通信装置の構成を説明する図であり、送信側、受信側とも同様な構成となっている。図４において、４１は商用ＡＣ電力線に接続するためのＡＣ電力入力端子部、４２は、送信側ではＡＣ電力に電力線通信情報信号が重畳された電力線通信信号を生成して、ＡＣ電力入力端子部４１および商用ＡＣ電力線を介して送信し、受信側では商用ＡＣ電力線およびＡＣ電力入力端子部４１を介して受信した電力線通信信号からＡＣ電力と電力線通信情報信号を分離して出力するＡＣ／信号重畳分離部、４３は、送信側では映像信号や音声信号および制御信号などの情報信号に電力線通信に必要な処理を施して電力線通信情報信号を生成して、ＡＣ／信号重畳分離部４２に出力し、受信側ではＡＣ／信号重畳分離部２により分離された電力線通信情報信号から、映像信号や音声信号および制御信号などの情報信号を取得する電力線通信処理部、４４は、送信側では電力線通信処理部４３から出力された情報信号を記憶し、受信側では記憶された情報信号を読み出して電力線通信処理部４３に出力する記憶部である。
【０００７】
図５は、電力線通信において、ＡＣ電力に電力線通信情報信号を重畳する様子を説明する図である。図５において、左上図は商用電源線に供給されている周波数５０Ｈｚまたは６０Ｈｚで１００ＶのＡＣ電力であり、左下図はＡＣ電源線を介して伝送したい映像信号や音声信号および制御信号などから生成した電力線通信情報信号である。通常、電力線通信ではこの電力線通信情報信号をＡＣ電力に重畳して、右図に示すような電力線通信信号を生成して、これにより、ＡＣ電力線を介して情報信号が伝送されることになる。
【０００８】
ここで、電力線通信処理部４３において行う電力線通信に必要な処理とは、情報信号に対してＯＳＩ（Ｏｐｅｎ  Ｓｙｓｔｅｍｓ  Ｉｎｔｅｒｃｏｎｎｅｃｔｉｏｎ）参照モデルで定義された各階層でのプロトコル処理や電力線通信プロトコル処理などのことであり、これにより、図５の左下図に示すような電力線通信情報信号を生成する。
【０００９】
上記のような構成により従来の電力線通信装置では、送信側と受信側がお互いに情報をやり取りしながら伝送方式を決定して伝送を行う。その際、電力線通信処理部４３に含まれる図示しない伝送路状態検出部が伝送路として使用しているＡＣ電力線のノイズ状態などを検出し、その検出結果に基づいて、同じく電力線通信処理部４３に含まれる図示しない伝送方式変更部によりその伝送路にとって最適な伝送方式を選択して伝送を行う。ここで、伝送路状態を検出する方法としては、伝送するデータを割当てている各キャリアごとのＳ／Ｎ比を測定する方法や、受信したデータの誤り率、および受信できなかったデータを再送する割合すなわち再送率などから推定する方法が考えられる。
【００１０】
電力線通信では、使用する周波数帯域内に複数のキャリア（例えば１００本）を立て、各キャリアに対して伝送するデータのビットを複数ビット（例えば最大４ビット）ずつ割当てて伝送する方式を採用しているものがある。このような場合、１００本全てのキャリアに最大の４ビットずつを割当てて伝送することができれば、合計４００ビットの情報を伝送することが可能である。しかしながら、１本のキャリアに４ビットの情報を割当てて伝送するためには、それだけノイズに対するマージンが必要となり、伝送路に発生しているノイズが多い場合にデータを誤ることなく伝送するためには、４ビットの情報を割当てることができず、３、２、１、０ビットと少ないビット数しか割当てることができないキャリアも存在する。これはすなわち伝送速度が低下することになり、伝送路状態検出部により各キャリアのＳ／Ｎ比を測定して、その測定結果に基づいて伝送方式変更部によりノイズが多いキャリアには割当てるビット数を減らして伝送することで、データ伝送の信頼性を確保する。
【００１１】
また、通信の際に発生した伝送誤りを検出して訂正できるように、誤り訂正符号を付加して伝送する場合もある。この場合、受信側では受信したデータ中で誤りが発生したビット数を検出できるため、これにより伝送路状態をある程度把握することができる。伝送路状態が悪化した場合には、この誤り率が大きくなり、さらに悪化するとそのままの誤り訂正符号では訂正しきれない状態となることを伝送路状態検出部により検出する。そして伝送方式変更部により、これを防ぐためさらに冗長度が大きい、すなわち誤り訂正符号ビットの割合を増加させることにより、データ伝送の信頼性を確保する。
【００１２】
さらに受信側では、正常にデータを受信できなかった場合には、送信側にそのデータの再送を要求する。すなわち伝送路状態検出部はこの再送率を検出することにより、再送率が大きくなると伝送路状態が悪化したものと認識でき、受信できなかったデータについては正常に受信できるまで伝送方式変更部により送信側に再送を要求し続ける。これはすなわち同一のデータを何回も伝送することでデータ伝送の信頼性を確保する。
【００１３】
上記の伝送方式の変更はいずれもデータ伝送の信頼性を確保するために、本来伝送したいデータについては低い伝送スループットで伝送を行うことになる。
【特許文献１】特開２００１−２３７９０４号公報
【発明の開示】
【発明が解決しようとする課題】
【００１４】
しかしながら上記従来の電力線通信装置では、ＡＣ電力線に多くのノイズが発生しているなど、伝送路状態が不良である場合に得られるデータ本来の伝送スループットは低く抑えられることになる。このような状態で、例えば伝送スループットが５Ｍｂｐｓ程度である場合に、送信側の電力線通信装置であるＡＶサーバーから１０Ｍｂｐｓの映像信号を伝送するような場合には、受信側の電力線通信装置であるモニターではこの映像信号を正常に受信することができず、誤ったデータを表示したり、途中で映像が欠落することになり、正常な映像信号の視聴をすることができない。
【００１５】
本発明は上記従来の問題点を解決するもので、電力線通信に使用するＡＣ電力線の伝送路状態が不良である場合にも、データ伝送の信頼性を確保して正常な電力線通信を行うことが可能な電力線通信装置を提供することを目的とする。
【課題を解決するための手段】
【００１６】
本発明の請求項１に記載の発明は、電源供給を行うＡＣ電力線を介して映像信号や音声信号および制御信号などの情報信号を伝送する電力線通信装置において、前記ＡＣ電力線に接続される複数のＡＣ電力線接続部を備え、前記ＡＣ電力線接続部のうち少なくとも１個は電力線通信に使用する周波数帯域内の信号成分を除去したＡＣ電力に、前記情報信号に電力線通信に必要な処理を施した電力線通信情報信号を重畳した電力線通信信号を伝送できることを特徴とする電力線通信装置であり、一方の接続部に伝送路状態が不良であるＡＣ電力線を接続した場合であっても、少なくとも１個のＡＣ電力線への接続部からはノイズのない電力線通信を行うことができるため、例えば伝送路状態が不良であるＡＣ電力線を介して低速で受信した映像信号などの情報信号を、ノイズのないＡＣ電力に重畳し直して高速で伝送することができるという作用を有する。
【００１７】
本発明の請求項２に記載の発明は、ＡＣ電力線に接続される第１および第２のＡＣ電力線接続部と、ＡＣ電力と電力線通信情報信号とを分離または重畳する第１および第２のＡＣ／信号重畳分離部と、前記電力線通信情報信号の出力先を選択する選択部と、前記電力線通信情報信号から情報信号を取り出し、または前記情報信号に電力線通信に必要な処理を施す電力線通信処理部と、前記情報信号を記憶する記憶部と、前記ＡＣ電力からノイズを除去するノイズフィルタ部とを備えたことを特徴とする請求項１記載の電力線通信装置であり、伝送路状態が不良であるＡＣ電力線に接続された電力線通信装置から低速で確実に受信した映像信号などの情報信号を一旦記憶部に蓄積して、再度ノイズのないＡＣ電力に重畳し直して、伝送路状態が良好なＡＣ電力線を介して高速で送信することができるという作用を有する。
【００１８】
本発明の請求項３に記載の発明は、映像信号や音声信号および制御信号などの情報信号を、第１のＡＣ電力線接続部に接続された商用ＡＣ電力線を介して受信して記憶する場合には、第１のＡＣ／信号重畳分離部は、第１のＡＣ電力に第１の電力線通信情報信号が重畳された第１の電力線通信信号を、前記商用ＡＣ電力線から前記第１のＡＣ電力線接続部を介して受信して、前記第１のＡＣ電力と前記第１の電力線通信情報信号に分離して出力し、ノイズフィルタ部は、前記第１のＡＣ／信号重畳分離部から出力された前記第１のＡＣ電力から、電力線通信に使用する周波数帯域内の信号成分を除去し第２のＡＣ電力として、第２のＡＣ／信号重畳分離部に出力するとともに、選択部は、前記第１のＡＣ／信号重畳分離部から出力された前記第１の電力線通信情報信号を選択して電力線通信処理部に出力し、前記電力線通信処理部は、前記選択部から出力された前記第１の電力線通信情報信号から第１の情報信号を取得して記憶部に出力し、前記記憶部は前記第１の情報信号を記憶し、前記記憶部に記憶された前記第１の情報信号を第２のＡＣ電力線接続部から送信する場合には、前記記憶部は記憶された前記第１の情報信号を読み出し、前記電力線通信処理部に出力し、前記電力線通信処理部は、前記第１の情報信号に電力線通信に必要な処理を施して第２の電力線通信情報信号として前記選択部に出力し、前記選択部は、前記第２の電力線通信情報信号の出力先として前記第２のＡＣ／信号重畳分離部を選択して出力し、前記第２のＡＣ／信号重畳分離部は、前記第２の電力線通信情報信号を前記第２のＡＣ電力に重畳して、第２の電力線通信信号として前記第２のＡＣ電力線接続部を介して出力することを特徴とする請求項２記載の電力線通信装置であり、伝送路状態が不良である商用ＡＣ電力線に接続された電力線通信装置から低速で確実に受信した映像信号などの情報信号を一旦記憶部に蓄積して、再度ノイズのないＡＣ電力に重畳し直して、伝送路状態が良好なＡＣ電力線を介して高速で送信することができるという作用を有する。
【００１９】
本発明の請求項４に記載の発明は、映像信号や音声信号および制御信号などの情報信号を、第２のＡＣ電力線接続部に接続されたＡＣ電力線を介して受信して記憶する場合には、前記第２のＡＣ電力線接続部を介して第２のＡＣ電力に第３の電力線通信情報信号が重畳された第３の電力線通信信号が入力され、第２のＡＣ／信号重畳分離部は、前記第２のＡＣ電力線接続部から入力された前記第３の電力線通信信号を受信して、前記第２のＡＣ電力と前記第３の電力線通信情報信号に分離して出力し、ノイズフィルタ部は、前記第２のＡＣ／信号重畳分離部から出力された前記第２のＡＣ電力から、電力線通信に使用する周波数帯域内の信号成分を除去し第１のＡＣ電力として、第１のＡＣ／信号重畳分離部に出力するとともに、選択部は、前記第２のＡＣ／信号重畳分離部から出力された前記第３の電力線通信情報信号を選択して電力線通信処理部に出力し、前記電力線通信処理部は、前記選択部から出力された前記第３の電力線通信情報信号から第２の情報信号を取得して記憶部に出力し、前記記憶部は前記第２の情報信号を記憶し、前記記憶部に記憶された前記第２の情報信号を商用ＡＣ電力線を介して送信する場合には、前記記憶部は記憶された前記第２の情報信号を読み出し、前記電力線通信処理部に出力し、前記電力線通信処理部は、前記第２の情報信号に電力線通信に必要な処理を施して、第４の電力線通信情報信号として前記選択部に出力し、前記選択部は前記第４の電力線通信情報信号の出力先として第１のＡＣ／信号重畳分離部を選択して出力し、前記第１のＡＣ／信号重畳分離部は、前記第４の電力線通信情報信号を第１のＡＣ電力に重畳して、第４の電力線通信信号として第１のＡＣ電力線接続部を介して出力することを特徴とする請求項２記載の電力線通信装置であり、ノイズがなく伝送路状態が良好であるＡＣ電力線に接続された電力線通信装置から高速で受信した映像信号などの情報信号を一旦記憶部に蓄積して、再度ＡＣ電力に重畳し直して、伝送路状態が不良な商用ＡＣ電力線を介して低速で確実に送信することができるという作用を有する。
【００２０】
本発明の請求項５に記載の発明は、電力線通信処理部は、入力される電力線通信情報信号から電力線通信に使用されるＡＣ電力線の伝送路状態を検出し、前記ＡＣ電力線の伝送路状態が良好な場合には、高速伝送に適した方式で通信を行い、前記ＡＣ電力線の伝送路状態が不良な場合には、耐ノイズ性の高い方式で通信を行うことを特徴とする請求項２乃至請求項４のいずれかに記載の電力線通信装置であり、接続されたＡＣ電力線の伝送路状態に応じて最適な伝送方式でデータの送受信ができるという作用を有する。
【００２１】
本発明の請求項６に記載の発明は、ＡＣ電力線に接続される第１および第２のＡＣ電力線接続部と、重畳されたＡＣ電力と電力線通信情報信号の出力先を選択する選択部と、前記ＡＣ電力と前記電力線通信情報信号とを分離または重畳する信号重畳分離部と、前記電力線通信情報信号から情報信号を取り出しまたは前記情報信号に電力線通信に必要な処理を施す電力線通信処理部と、前記情報信号を記憶する記憶部と、前記ＡＣ電力からノイズを除去するノイズフィルタ部とを備えたことを特徴とする請求項１記載の電力線通信装置であり、伝送路状態が不良であるＡＣ電力線に接続された電力線通信装置から低速で確実に受信した映像信号などの情報信号を一旦記憶部に蓄積して、再度ノイズのないＡＣ電力に重畳し直して、伝送路状態が良好なＡＣ電力線を介して高速で送信することができるという作用を有する。
【００２２】
本発明の請求項７に記載の発明は、映像信号や音声信号および制御信号などの情報信号を、第１のＡＣ電力線接続部に接続された商用ＡＣ電力線を介して受信して記憶する場合には、選択部は、第１のＡＣ電力に第１の電力線通信情報信号が重畳された第１の電力線通信信号を、前記商用ＡＣ電力線から前記第１のＡＣ電力線接続部を介して受信して、出力先として信号重畳分離部および第２のＡＣ電力線接続部を選択して出力し、前記第２のＡＣ電力線接続部は前記第１の電力線通信信号を外部機器に出力し、前記信号重畳分離部は、前記選択部から出力された前記第１の電力線通信信号から、前記第１の電力線通信情報信号を分離して出力し、電力線通信処理部は、前記信号重畳分離部から出力された前記第１の電力線通信情報信号から第１の情報信号を取得して出力し、記憶部は、前記電力線通信処理部から出力された前記第１の情報信号を記憶し、前記記憶部に記憶された前記第１の情報信号を前記第２のＡＣ電力線接続部から送信する場合には、前記選択部は、前記第１の電力線通信信号または前記第１のＡＣ電力を前記商用ＡＣ電力線から前記第１のＡＣ電力線接続部を介して受信して、出力先としてノイズフィルタ部を選択して出力し、前記ノイズフィルタ部は、前記選択部から出力された前記第１の電力線通信信号または前記第１のＡＣ電力から、電力線通信に使用する周波数帯域内の信号成分を除去して第２のＡＣ電力を取得し、前記記憶部は記憶された前記第１の情報信号を読み出し、前記電力線通信処理部は、前記記憶部から読み出された前記第１の情報信号に、電力線通信に必要な処理を施して第２の電力線通信情報信号を生成して出力し、前記信号重畳分離部は、電力線通信処理部から出力された前記第２の電力線通信情報信号を前記第２のＡＣ電力に重畳して、第２の電力線通信信号を生成して出力し、前記第２のＡＣ電力線接続部は前記第２の電力線通信信号を外部機器に出力することを特徴とする請求項６記載の電力線通信装置であり、伝送路状態が不良である商用ＡＣ電力線に接続された電力線通信装置から低速で確実に受信した映像信号などの情報信号を一旦記憶部に蓄積して、再度ノイズのないＡＣ電力に重畳し直して、伝送路状態が良好なＡＣ電力線を介して高速で送信することができるという作用を有する。
【００２３】
本発明の請求項８に記載の発明は、映像信号や音声信号および制御信号などの情報信号を、第２のＡＣ電力線接続部に接続されたＡＣ電力線を介して受信して記憶する場合には、選択部は、商用ＡＣ電力線から第１のＡＣ電力線接続部を介して第１の電力線通信信号または第１のＡＣ電力を受信して、出力先としてノイズフィルタ部を選択して出力し、前記ノイズフィルタ部は、前記選択部から出力された前記第１の電力線通信信号または第１のＡＣ電力から、電力線通信に使用する周波数帯域内の信号成分を除去して第２のＡＣ電力を取得し、前記第２のＡＣ電力線接続部は、接続された前記ＡＣ電力線を介して、前記第２のＡＣ電力に第３の電力線通信情報信号が重畳された第３の電力線通信信号を入力され、信号重畳分離部は、前記第２のＡＣ電力線接続部から入力された前記第３の電力線通信信号を受信して、前記第３の電力線通信情報信号を分離して出力し、電力線通信処理部は、前記信号重畳分離部から出力された前記第３の電力線通信情報信号から第２の情報信号を取得して出力し、記憶部は、前記電力線通信処理部から出力された前記第２の情報信号を記憶し、前記記憶部に記憶された前記第２の情報信号を前記商用ＡＣ電力線を介して送信する場合には、前記選択部は、前記商用ＡＣ電力線を介して前記第１のＡＣ電力を受信して、出力先として前記信号重畳分離部および前記第２のＡＣ電力線接続部を選択して出力し、前記記憶部は記憶された前記第２の情報信号を読み出し、前記電力線通信処理部は、前記記憶部から読み出された前記第２の情報信号に電力線通信に必要な処理を施して第４の電力線通信情報信号を生成して出力し、前記信号重畳分離部は、前記電力線通信処理部から出力された前記第４の電力線通信情報信号を前記第１のＡＣ電力に重畳して、第４の電力線通信信号を生成して前記選択部に出力し、前記選択部は、前記第４の電力線通信信号を選択して、前記第１のＡＣ電力線接続部から前記商用ＡＣ電力線を介して出力することを特徴とする請求項６記載の電力線通信装置であり、ノイズがなく伝送路状態が良好であるＡＣ電力線に接続された電力線通信装置から高速で受信した映像信号などの情報信号を一旦記憶部に蓄積して、再度ＡＣ電力に重畳し直して、伝送路状態が不良な商用ＡＣ電力線を介して低速で確実に送信することができるという作用を有する。
【００２４】
本発明の請求項９に記載の発明は、電力線通信処理部は、入力される電力線通信情報信号から電力線通信に使用されるＡＣ電力線の伝送路状態を検出し、前記ＡＣ電力線の伝送路状態が良好な場合には、高速伝送に適した方式で通信を行い、前記ＡＣ電力線の伝送路状態が不良な場合には、耐ノイズ性の高い方式で通信を行うことを特徴とする請求項６乃至請求項８のいずれかに記載の電力線通信装置であり、接続されたＡＣ電力線の伝送路状態に応じて最適な伝送方式でデータの送受信ができるという作用を有する。
【００２５】
本発明の請求項１０に記載の発明は、ＡＣ電力線に接続される第１および第２のＡＣ電力線接続部と、ＡＣ電力と電力線通信情報信号とを分離または重畳する第１および第２のＡＣ／信号重畳分離部と、前記電力線通信情報信号から情報信号を取り出しまたは前記情報信号に電力線通信に必要な処理を施す第１および第２の電力線通信処理部と、前記情報信号を記憶する記憶部と、前記ＡＣ電力からノイズを除去するノイズフィルタ部とを備えたことを特徴とする請求項１記載の電力線通信装置であり、伝送路状態が不良であるＡＣ電力線に接続された電力線通信装置から低速で確実に受信した映像信号などの情報信号を一旦記憶部に蓄積して、再度ノイズのないＡＣ電力に重畳し直して、伝送路状態が良好なＡＣ電力線を介して高速で送信することができるという作用を有する。
【００２６】
本発明の請求項１１に記載の発明は、映像信号や音声信号および制御信号などの情報信号を商用ＡＣ電力線から第１のＡＣ電力線接続部を介して受信して記憶する場合には、第１のＡＣ／信号重畳分離部は、第１のＡＣ電力に第１の電力線通信情報信号が重畳された第１の電力線通信信号を、前記商用ＡＣ電力線から前記第１のＡＣ電力線接続部を介して受信して、前記第１のＡＣ電力と前記第１の電力線通信情報信号に分離して出力し、ノイズフィルタ部は、前記第１のＡＣ／信号重畳分離部から出力された前記第１のＡＣ電力から、電力線通信に使用する周波数帯域内の信号成分を除去して第２のＡＣ電力を取得し、映像信号や音声信号および制御信号などの情報信号を商用ＡＣ電力線から第１のＡＣ電力線接続部を介して受信して記憶する場合には、第２のＡＣ／信号重畳分離部は、前記ノイズフィルタ部から出力された前記第２のＡＣ電力を第２のＡＣ電力線接続部に出力し、前記第２のＡＣ電力線接続部は、前記第２のＡＣ電力を外部機器に出力し、第１の電力線通信処理部は、前記第１のＡＣ／信号重畳分離部から出力された前記第１の電力線通信情報信号から第１の情報信号を取得して出力し、記憶部は、前記第１の電力線通信処理部から出力された前記第１の情報信号を記憶し、前記記憶部に記憶された前記第１の情報信号を前記第２のＡＣ電力線接続部から送信する場合には、前記記憶部は、記憶された前記第１の情報信号を読み出し、第２の電力線通信処理部は、前記記憶部から読み出された前記情報信号に電力線通信に必要な処理を施して、第２の電力線通信情報信号を生成して出力し、前記第２のＡＣ／信号重畳分離部は、前記第２の電力線通信処理部から出力された前記第２の電力線通信情報信号を前記第２のＡＣ電力に重畳して、第２の電力線通信信号を生成して出力し、前記第２のＡＣ電力線接続部は、前記第２の電力線通信信号を外部機器に出力することを特徴とする請求項１０記載の電力線通信装置であり、伝送路状態が不良である商用ＡＣ電力線に接続された電力線通信装置から低速で確実に受信した映像信号などの情報信号を一旦記憶部に蓄積して、再度ノイズのないＡＣ電力に重畳し直して、伝送路状態が良好なＡＣ電力線を介して高速で送信することができるという作用を有する。
【００２７】
本発明の請求項１２に記載の発明は、映像信号や音声信号および制御信号などの情報信号を、第２のＡＣ電力線接続部に接続されたＡＣ電力線を介して受信して記憶する場合には、前記第２のＡＣ電力線接続部は、接続された前記ＡＣ電力線を介して、第２のＡＣ電力に第３の電力線通信情報信号が重畳された第３の電力線通信信号を入力され、第２のＡＣ／信号重畳分離部は、前記第２のＡＣ電力線接続部から入力された前記第３の電力線通信信号を受信して、前記第２のＡＣ電力と前記第３の電力線通信情報信号に分離して出力し、第２の電力線通信処理部は、前記第２のＡＣ／信号重畳分離部から出力された前記第３の電力線通信情報信号から第２の情報信号を取得して出力し、記憶部は、前記第２の電力線通信処理部から出力された前記第２の情報信号を記憶し、前記記憶部に記憶された前記第２の情報信号を商用ＡＣ電力線を介して送信する場合には、前記記憶部は記憶された前記第２の情報信号を読み出し、第１の電力線通信処理部は、前記記憶部から読み出された前記第２の情報信号に電力線通信に必要な処理を施して、第４の電力線通信情報信号を生成して出力し、第１のＡＣ／信号重畳分離部は、前記第１の電力線通信処理部から出力された前記第４の電力線通信情報信号を第１のＡＣ電力に重畳して、第４の電力線通信信号を生成して、第１のＡＣ電力線接続部から前記商用ＡＣ電力線を介して出力することを特徴とする電力線通信装置であり、ノイズがなく伝送路状態が良好であるＡＣ電力線に接続された電力線通信装置から高速で受信した映像信号などの情報信号を一旦記憶部に蓄積して、再度ＡＣ電力に重畳し直して、伝送路状態が不良な商用ＡＣ電力線を介して低速で確実に送信することができるという作用を有する。
【００２８】
本発明の請求項１３に記載の発明は、第１および第２の電力線通信処理部は、入力される電力線通信情報信号から電力線通信に使用されるＡＣ電力線の伝送路状態を検出し、前記ＡＣ電力線の伝送路状態が良好な場合には、高速伝送に適した方式で通信を行い、前記ＡＣ電力線の伝送路状態が不良な場合には、耐ノイズ性の高い方式で通信を行うことを特徴とする請求項１０乃至請求項１２のいずれかに記載の電力線通信装置であり、接続されたＡＣ電力線の伝送路状態に応じて最適な伝送方式でデータの送受信ができるという作用を有する。
【００２９】
本発明の請求項１４に記載の発明は、第１の電力線通信処理部から記憶部への書き込み動作と前記記憶部から第２の電力線通信処理部への読み出し動作、および前記第２の電力線通信処理部から前記記憶部への書き込み動作と前記記憶部から前記第１の電力線通信処理部への読み出し動作は同時に行うことができることを特徴とする請求項１０乃至請求項１３のいずれかに記載の電力線通信装置であり、映像信号などの情報信号を商用ＡＣ電力線を介して受信して記憶部へ蓄積しながら、同時に、記憶部に蓄積している映像信号などの情報信号を伝送路状態が良好なＡＣ電力線を介して高速で送信することができ、逆に、映像信号などの情報信号を、伝送路状態が良好なＡＣ電力線を介して受信して記憶部へ蓄積しながら、同時に記憶部に蓄積している映像信号などの情報信号を商用ＡＣ電力線を介して送信できるという作用を有する。
【発明の効果】
【００３０】
以上のように本発明は、伝送路状態が不良である可能性のある商用ＡＣ電力線と、それとはノイズ的に分離された伝送路状態が良好なＡＣ電力線の、両方への接続を可能とすることにより、例えば、ノイズが多く存在する商用ＡＣ電力線に接続されたＡＶサーバーなどから情報量の大きな映像信号を低速で確実にダウンロードして、それをノイズのないＡＣ電力線に接続されたモニターなどに高速で伝送することで、データの誤りや欠落のない正常な映像信号の視聴をすることが可能な電力線通信装置を提供することができるという効果が得られる。
【発明を実施するための最良の形態】
【００３１】
以下、本発明の実施の形態について、図１から図３を用いて説明する。
【００３２】
（実施の形態１）
図１は、本発明の実施の形態１の電力線通信装置の概略構成を示す図であり、１はＡＣ電力入力端子部、２および３は第１および第２のＡＣ／信号重畳分離部、４は選択部、５は第１の電力線通信処理部、６は第１の記憶部、７はノイズフィルタ部、８はＡＣ電力供給端子部である。
【００３３】
以下、本発明の実施の形態１の電力線通信装置について、図１を用いて説明する。
【００３４】
本発明の実施の形態１の電力線通信装置では、第１のＡＣ／信号重畳分離部２は、第１のＡＣ電力に第１の電力線通信情報信号が重畳された第１の電力線通信信号を、商用ＡＣ電力線からＡＣ電力入力端子部１を介して受信して、第１のＡＣ電力と第１の電力線通信情報信号に分離して出力し、ノイズフィルタ部７は、第１のＡＣ／信号重畳分離部２から出力された第１のＡＣ電力から、電力線通信に使用する周波数帯域内の信号成分を除去して第２のＡＣ電力を取得し、映像信号や音声信号および制御信号などの情報信号を商用ＡＣ電力線を介して受信して記憶する場合には、第２のＡＣ／信号重畳分離部３は、ノイズフィルタ部７から出力された第２のＡＣ電力を出力し、ＡＣ電力供給端子部８は第２のＡＣ電力を外部機器に出力し、選択部４はＡ側を選択して、第１のＡＣ／信号重畳分離部２から出力された第１の電力線通信情報信号を選択して電力線通信処理部５に出力し、電力線通信処理部５は、選択部４から出力された第１の電力線通信情報信号から情報信号を取得して出力し、記憶部６は、電力線通信処理部５から出力された情報信号を記憶し、記憶部６に記憶された情報信号をＡＣ電力供給端子部８から送信する場合には、記憶部６は記憶された情報信号を読み出し、電力線通信処理部５は、記憶部６から読み出された情報信号に電力線通信に必要な処理を施して第２の電力線通信情報信号を生成して出力し、選択部４はＢ側を選択して、電力線通信処理部５から出力された第２の電力線通信情報信号の出力先として第２のＡＣ／信号重畳分離部３を選択して出力し、第２のＡＣ／信号重畳分離部３は、選択部４から出力された第２の電力線通信情報信号を第２のＡＣ電力に重畳して第２の電力線通信信号を生成して出力し、ＡＣ電力供給端子部８は第２の電力線通信信号を外部機器に出力する。
【００３５】
これにより本実施の形態では、例えば、商用ＡＣ電力線に接続されている電力線通信対応機器であるＡＶサーバーに蓄積されている映像信号を、同じく電力線通信対応機器であるモニターにより視聴する場合に、商用ＡＣ電力線に多くのノイズが発生していて伝送路状態が不良である場合には、本実施の形態の電力線通信装置により、従来例のところで述べたような方法によりデータ伝送の信頼性を確保した上で、第１のＡＣ／信号重畳分離部２、電力線通信処理部５を介して受信し、一度電力線通信に必要な処理を解いた上で映像信号を記憶部６に蓄積した後に、再度電力線通信処理部５、第２のＡＣ／信号重畳分離部３を介して電力線通信に必要な処理を施して、ノイズを除去した第２のＡＣ電力に重畳して、ＡＣ電力供給端子部８に接続された電力線通信対応機器であるモニターに伝送することで、映像信号に誤表示や欠落を生じることなく視聴することができる。
【００３６】
なお、ここでは、商用ＡＣ電力線を介して受信して記憶部６に記憶したデータを、ＡＣ電力供給端子部８に接続された電力線対応機器に送信する場合について説明したが、電力線通信対応機器に送信するデータは、あらかじめ記憶部６に記憶しておいたデータであっても良いし、例えばＤＶＤ（Ｄｉｇｉｔａｌ Ｖｅｒｓａｔｉｌｅ Ｄｉｓｋ）などの媒体に記録されているデータを再生したものであっても良い。
【００３７】
なお、商用ＡＣ電力線を介して受信するデータは、本実施の形態の電力線通信装置を制御するための制御信号であっても良く、必ずしも記憶部６に記憶する必要はない。
【００３８】
以上のように本実施の形態によれば、伝送路状態が不良な商用ＡＣ電力線を使用する場合にも、正常な情報信号の伝送が可能な電力線通信装置を実現することができる。
【００３９】
（実施の形態２）
図１は、本発明の実施の形態２の電力線通信装置の概略構成をも示す図である。
【００４０】
以下、本発明の実施の形態２の電力線通信装置について、図１を用いて説明する。
【００４１】
本発明の実施の形態２の電力線通信装置では、実施の形態１の電力線通信装置の動作に加えて、映像信号や音声信号および制御信号などの情報信号をＡＣ電力供給端子部８に接続されたＡＣ電力線を介して受信して記憶する場合には、ＡＣ電力供給端子部８は、接続されたＡＣ電力線を介して、第２のＡＣ電力に第３の電力線通信情報信号が重畳された第３の電力線通信信号が入力され、第２のＡＣ／信号重畳分離部３は、ＡＣ電力供給端子部８から入力された第３の電力線通信信号を受信して、第２のＡＣ電力と第３の電力線通信情報信号に分離して出力し、選択部４はＢ側を選択して、第２のＡＣ／信号重畳分離部３から出力された第３の電力線通信情報信号を選択して電力線通信処理部５に出力し、電力線通信処理部５は選択部４から出力された第３の電力線通信情報信号から情報信号を取得して出力し、記憶部６は電力線通信処理部５から出力された情報信号を記憶し、記憶部６に記憶された情報信号を商用ＡＣ電力線を介して送信する場合には、記憶部６は記憶された情報信号を読み出し、電力線通信処理部５は、記憶部６から読み出された情報信号に電力線通信に必要な処理を施して第４の電力線通信情報信号を生成して出力し、選択部４はＡ側を選択して、電力線通信処理部５から出力された第４の電力線通信情報信号の出力先として、第１のＡＣ／信号重畳分離部２を選択して出力し、第１のＡＣ／信号重畳分離部２は、選択部４から出力された第４の電力線通信情報信号を第１のＡＣ電力に重畳して、第４の電力線通信信号を生成してＡＣ電力入力端子部１から商用ＡＣ電力線を介して出力する。
【００４２】
これにより本実施の形態では、例えばＡＣ電力供給端子部８に接続された電力線通信対応機器であるレコーダに蓄積されている映像信号を、商用ＡＣ電力線に接続されている電力線通信対応機器であるＡＶサーバーにアップロードする場合に、商用ＡＣ電力線に多くのノイズが発生していて伝送路状態が不良である場合には、本実施の形態の電力線通信装置により、ＡＣ電力供給端子部８に接続された電力線通信対応機器であるレコーダから、ノイズを除去した第２のＡＣ電力に重畳されて伝送される映像信号を、第２のＡＣ／信号重畳分離部３、電力線通信処理部５を介して受信し、一度電力線通信に必要な処理を解いた上で、映像信号を記憶部６に蓄積した後に、再度電力線通信処理部５、第１のＡＣ／信号重畳分離部２を介して電力線通信に必要な処理を施して、従来例のところで述べたような方法により、データ伝送の信頼性を確保した上で、商用ＡＣ電力線に重畳することで、欠落を生じることなく伝送することができる。
【００４３】
なお、ここでは、ＡＣ電力供給端子部８に接続された電力線通信対応機器から受信して記憶部６に記憶したデータを、商用ＡＣ電力線を介して送信する場合について説明したが、商用ＡＣ電力線を介して送信するデータは、あらかじめ記憶部６に記憶しておいたデータであっても良いし、例えば、ＤＶＤなどの媒体に記録されているデータを再生したものであっても良い。
【００４４】
なお、ＡＣ電力供給端子部８に接続された電力線通信対応機器から受信するデータは、本実施の形態の電力線通信装置を制御するための制御信号であっても良く、必ずしも記憶部６に記憶する必要はない。
【００４５】
以上のように本実施の形態によれば、伝送路状態が不良な商用ＡＣ電力線を使用する場合にも、正常な情報信号の伝送が可能な電力線通信装置を実現することができる。
【００４６】
（実施の形態３）
図１は、本発明の実施の形態３の電力線通信装置の概略構成をも示す図である。
【００４７】
以下、本発明の実施の形態３の電力線通信装置について、図１を用いて説明する。
【００４８】
本発明の実施の形態３の電力線通信装置では、実施の形態１および実施の形態２の電力線通信装置の動作時に、電力線通信処理部５に含まれる図示しない伝送路状態検出部が、伝送路として使用しているＡＣ電力線のノイズ状態などを検出し、その検出結果に基づいて、同じく電力線通信処理部５に含まれる図示しない伝送方式変更部により、その伝送路にとって最適な伝送方式を選択して伝送を行う。ここで、伝送路状態の検出方法および最適な伝送方式の決定方法などは、従来例のところで述べたような方法と同様である。
【００４９】
これにより本実施の形態では、使用するＡＣ電力線ごとに、その伝送路状態が良好な場合には、高速伝送に適した方式で通信を行い、伝送路状態が不良な場合には、耐ノイズ性の高い方式で通信を行う。
【００５０】
以上のように本実施の形態によれば、伝送路状態が不良な商用ＡＣ電力線を使用する場合にも、正常な情報信号の伝送が可能な電力線通信装置を実現することができる。
【００５１】
（実施の形態４）
図２は、本発明の実施の形態４の電力線通信装置の概略構成を示す図であり、本発明の実施の形態１の電力線通信装置における図１と同様のものは同一の番号を付す。９は選択部、１０は信号重畳分離部である。
【００５２】
以下、本発明の実施の形態４の電力線通信装置について、図２を用いて説明する。
【００５３】
本発明の実施の形態４の電力線通信装置では、映像信号や音声信号および制御信号などの情報信号を、商用ＡＣ電力線を介して受信して記憶する場合には、選択部９はＡ側を選択して、第１のＡＣ電力に第１の電力線通信情報信号が重畳された第１の電力線通信信号を、商用ＡＣ電力線を介してＡＣ電力入力端子部１から受信して、出力先として信号重畳分離部１０およびＡＣ電力供給端子部８を選択して出力し、ＡＣ電力供給端子部８は、第１の電力線通信信号を外部機器に出力し、信号重畳分離部１０は、選択部９から出力された第１の電力線通信信号から、第１の電力線通信情報信号を分離して出力し、電力線通信処理部５は、信号重畳分離部１０から出力された第１の電力線通信情報信号から、情報信号を取得して出力し、記憶部６は、電力線通信処理部５から出力された情報信号を記憶し、記憶部６に記憶された情報信号を、ＡＣ電力供給端子部８から送信する場合には、選択部９はＢ側を選択して、第１の電力線通信信号または第１のＡＣ電力を商用ＡＣ電力線を介してＡＣ電力入力端子部１から受信して、出力先としてノイズフィルタ部７を選択して出力し、ノイズフィルタ部７は、選択部９から出力された第１の電力線通信信号または第１のＡＣ電力から、電力線通信に使用する周波数帯域内の信号成分を除去して第２のＡＣ電力を取得し、記憶部６は、記憶された情報信号を読み出し、電力線通信処理部５は、記憶部６から読み出された情報信号に電力線通信に必要な処理を施して、第２の電力線通信情報信号を生成して出力し、信号重畳分離部１０は、電力線通信処理部５から出力された第２の電力線通信情報信号を第２のＡＣ電力に重畳して、第２の電力線通信信号を生成して出力し、ＡＣ電力供給端子部８は第２の電力線通信信号を外部機器に出力する。
【００５４】
これにより本実施の形態では、例えば商用ＡＣ電力線に接続されている電力線通信対応機器であるＡＶサーバーに蓄積されている映像信号を、同じく電力線通信対応機器であるモニターにより視聴する場合に、商用ＡＣ電力線に多くのノイズが発生していて伝送路状態が不良である場合には、本実施の形態の電力線通信装置により、従来例のところで述べたような方法によりデータ伝送の信頼性を確保した上で、信号重畳分離部１０、電力線通信処理部５を介して受信し、一度電力線通信に必要な処理を解いた上で、映像信号を記憶部６に蓄積した後に、再度第１の電力線通信処理部５、信号重畳分離部１０を介して電力線通信に必要な処理を施して、ノイズを除去した第２のＡＣ電力に重畳して、ＡＣ電力供給端子部８に接続された電力線通信対応機器であるモニターに伝送することで、映像信号に誤表示や欠落を生じることなく視聴することができる。
【００５５】
なお、ここでは、商用ＡＣ電力線を介して受信して記憶部６に記憶したデータを、ＡＣ電力供給端子部８に接続された電力線通信対応機器に送信する場合について説明したが、電力線通信対応機器に送信するデータはあらかじめ記憶部６に記憶しておいたデータであっても良いし、例えばＤＶＤなどの媒体に記録されているデータを再生したものであっても良い。
【００５６】
なお、商用ＡＣ電力線を介して受信するデータは、本実施の形態の電力線通信装置を制御するための制御信号であっても良く、必ずしも記憶部６に記憶する必要はない。
【００５７】
なお、ＡＣ電力入力端子部１に接続された商用ＡＣ電力線、およびＡＣ電力供給端子部８に接続されたＡＣ電力線ともに伝送路状態が良好である場合には、選択部９の出力先を、Ａ側を選択してＡＣ電力供給端子部８とすることにより、商用ＡＣ電力線側から受信した第１の電力線通信信号を、直接ＡＣ電力供給端子部８に接続されたＡＣ電力線を介して送信するように制御してもよい。
【００５８】
以上のように本実施の形態によれば、伝送路状態が不良な商用ＡＣ電力線を使用する場合にも、正常な情報信号の伝送が可能な電力線通信装置を実現することができる。
【００５９】
（実施の形態５）
図２は、本発明の実施の形態５の電力線通信装置の概略構成をも示す図である。
【００６０】
以下、本発明の実施の形態５の電力線通信装置について、図２を用いて説明する。
【００６１】
本発明の実施の形態５の電力線通信装置では、実施の形態４の電力線通信装置の動作に加えて、映像信号や音声信号および制御信号などの情報信号を、ＡＣ電力供給端子部８に接続されたＡＣ電力線を介して受信して記憶する場合には、選択部９はＢ側を選択して、商用ＡＣ電力線を介して第１の電力線通信信号または第１のＡＣ電力を受信して、出力先としてノイズフィルタ部７を選択して出力し、ノイズフィルタ部７は、選択部９から出力された第１の電力線通信信号または第１のＡＣ電力から、電力線通信に使用する周波数帯域内の信号成分を除去して第２のＡＣ電力を取得し、ＡＣ電力供給端子部８は、接続されたＡＣ電力線を介して、第２のＡＣ電力に第３の電力線通信情報信号が重畳された第３の電力線通信信号が入力され、信号重畳分離部１０は、ＡＣ電力供給端子部８から入力された第３の電力線通信信号を受信して、第３の電力線通信情報信号を分離して出力し、電力線通信処理部５は、信号重畳分離部１０から出力された第３の電力線通信情報信号から、情報信号を取得して出力し、記憶部６は、電力線通信処理部５から出力された情報信号を記憶し、記憶部６に記憶された情報信号を、商用ＡＣ電力線を介して送信する場合には、選択部９はＡ側を選択して、商用ＡＣ電力線を介して第１のＡＣ電力を入力され、出力先として信号重畳分離部１０およびＡＣ電力供給端子部８を選択して出力し、記憶部６は、記憶された情報信号を読み出し、電力線通信処理部５は、記憶部６から読み出された情報信号に電力線通信に必要な処理を施して、第４の電力線通信情報信号を生成して出力し、信号重畳分離部１０は、電力線通信処理部５から出力された第４の電力線通信情報信号を第１のＡＣ電力に重畳して、第４の電力線通信信号を生成して出力し、選択部９はＡ側を選択して、第４の電力線通信信号を選択してＡＣ電力入力端子部１から商用ＡＣ電力線を介して出力する。
【００６２】
これにより本実施の形態では、例えば、ＡＣ電力供給端子部８に接続された電力線通信対応機器であるレコーダに蓄積されている映像信号を、商用ＡＣ電力線に接続されている電力線通信対応機器であるＡＶサーバーにアップロードする場合に、商用ＡＣ電力線に多くのノイズが発生していて伝送路状態が不良である場合には、本実施の形態の電力線通信装置により、ＡＣ電力供給端子部８に接続された電力線通信対応機器であるレコーダから、ノイズを除去した第２のＡＣ電力に重畳されて伝送される映像信号を、信号重畳分離部１０、電力線通信処理部５を介して受信し、一度電力線通信に必要な処理を解いた上で、映像信号を記憶部６に蓄積した後に、再度電力線通信処理部５、信号重畳分離部１０を介して電力線通信に必要な処理を施して、従来例のところで述べたような方法により、データ伝送の信頼性を確保した上で、商用ＡＣ電力線に重畳することで、欠落を生じることなく伝送することができる。
【００６３】
なお、ここではＡＣ電力供給端子部８に接続された電力線通信対応機器から受信して、記憶部６に記憶したデータを商用ＡＣ電力線を介して送信する場合について説明したが、商用ＡＣ電力線を介して送信するデータは、あらかじめ記憶部６に記憶しておいたデータであっても良いし、例えばＤＶＤなどの媒体に記録されているデータを再生したものであっても良い。
【００６４】
なお、ＡＣ電力供給端子部８に接続された電力線通信対応機器から受信するデータは、本実施の形態の電力線通信装置を制御するための制御信号であっても良く、必ずしも記憶部６に記憶する必要はない。
【００６５】
なお、ＡＣ電力入力端子部１に接続された商用ＡＣ電力線、およびＡＣ電力供給端子部８に接続されたＡＣ電力線ともに伝送路状態が良好である場合には、選択部９をＡ側を選択して、ＡＣ電力供給端子部８からの入力を選択して、商用ＡＣ電力線側に出力するように切替えることにより、ＡＣ電力供給端子部８に接続されたＡＣ電力線を介して受信した第３の電力線通信信号を、直接商用ＡＣ電力線側に送信するように制御してもよい。
【００６６】
以上のように本実施の形態によれば、伝送路状態が不良な商用ＡＣ電力線を使用する場合にも、正常な情報信号の伝送が可能な電力線通信装置を実現することができる。
【００６７】
（実施の形態６）
図２は、本発明の実施の形態６の電力線通信装置の概略構成をも示す図である。
【００６８】
以下、本発明の実施の形態６の電力線通信装置について、図２を用いて説明する。
【００６９】
本発明の実施の形態６の電力線通信装置では、実施の形態４および実施の形態５の電力線通信装置の動作時に、電力線通信処理部５に含まれる、図示しない伝送路状態検出部が伝送路として使用しているＡＣ電力線のノイズ状態などを検出し、その検出結果に基づいて、同じく電力線通信処理部５に含まれる図示しない伝送方式変更部により、その伝送路にとって最適な伝送方式を選択して伝送を行う。ここで、伝送路状態の検出方法および最適な伝送方式の決定方法などは、従来例のところで述べたような方法と同様である。
【００７０】
これにより本実施の形態では、使用するＡＣ電力線ごとに、その伝送路状態が良好な場合には、高速伝送に適した方式で通信を行い、伝送路状態が不良な場合には、耐ノイズ性の高い方式で通信を行う。
【００７１】
以上のように本実施の形態によれば、伝送路状態が不良な商用ＡＣ電力線を使用する場合にも、正常な情報信号の伝送が可能な電力線通信装置を実現することができる。
【００７２】
（実施の形態７）
図３は、本発明の実施の形態７の電力線通信装置の概略構成を示す図であり、本発明の実施の形態１の電力線通信装置における図１と同様のものは同一の番号を付す。１１は第１の電力線通信処理部、１２は第２の電力線通信処理部、１３は記憶部である。
【００７３】
以下、本発明の実施の形態７の電力線通信装置について、図３を用いて説明する。
【００７４】
本発明の実施の形態７の電力線通信装置では、第１のＡＣ／信号重畳分離部２は、第１のＡＣ電力に第１の電力線通信情報信号が重畳された第１の電力線通信信号を、商用ＡＣ電力線を介してＡＣ電力入力端子部１から受信して、第１のＡＣ電力と第１の電力線通信情報信号に分離して出力し、ノイズフィルタ部７は、第１のＡＣ／信号重畳分離部２から出力された第１のＡＣ電力から、電力線通信に使用する周波数帯域内の信号成分を除去して第２のＡＣ電力を取得し、映像信号や音声信号および制御信号などの情報信号を、商用ＡＣ電力線を介して受信して記憶する場合には、第２のＡＣ／信号重畳分離部３は、ノイズフィルタ部７から出力された第２のＡＣ電力を出力し、ＡＣ電力供給端子部８は、第２のＡＣ電力を外部機器に出力し、第１の電力線通信処理部１１は、第１のＡＣ／信号重畳分離部２から出力された第１の電力線通信情報信号から、情報信号を取得して出力し、記憶部１３は、第１の電力線通信処理部１１から出力された情報信号を記憶し、記憶部１３に記憶された情報信号をＡＣ電力供給端子部８から送信する場合には、記憶部１３は記憶された情報信号を読み出し、第２の電力線通信処理部１２は、記憶部１３から読み出された情報信号に電力線通信に必要な処理を施して、第２の電力線通信情報信号を生成して出力し、第２のＡＣ／信号重畳分離部３は、第２の電力線通信処理部１２から出力された第２の電力線通信情報信号を第２のＡＣ電力に重畳して、第２の電力線通信信号を生成して出力し、ＡＣ電力供給端子部８は第２の電力線通信信号を外部機器に出力する。
【００７５】
これにより本実施の形態では、例えば商用ＡＣ電力線に接続されている電力線通信対応機器であるＡＶサーバーに蓄積されている映像信号を、同じく電力線通信対応機器であるモニターにより視聴する場合に、商用ＡＣ電力線に多くのノイズが発生していて伝送路状態が不良である場合には、本実施の形態の電力線通信装置により、従来例のところで述べたような方法によりデータ伝送の信頼性を確保した上で、第１のＡＣ／信号重畳分離部２、第１の電力線通信処理部１１を介して受信し、一度電力線通信に必要な処理を解いた上で、映像信号を記憶部１３に蓄積した後に、再度第２の電力線通信処理部１２、第２のＡＣ／信号重畳分離部３を介して電力線通信に必要な処理を施して、ノイズを除去した第２のＡＣ電力に重畳して、ＡＣ電力供給端子部８に接続された電力線通信対応機器であるモニターに伝送することで、映像信号に誤表示や欠落を生じることなく視聴することができる。
【００７６】
なお、ここでは商用ＡＣ電力線を介して受信して、記憶部１３に記憶したデータを、ＡＣ電力供給端子部８に接続された電力線通信対応機器に送信する場合について説明したが、電力線通信対応機器に送信するデータは、あらかじめ記憶部１３に記憶しておいたデータであっても良いし、例えばＤＶＤなどの媒体に記録されているデータを再生したものであっても良い。
【００７７】
なお、商用ＡＣ電力線を介して受信するデータは、本実施の形態の電力線通信装置を制御するための制御信号であっても良く、必ずしも記憶部１３に記憶する必要はない。
【００７８】
以上のように本実施の形態によれば、伝送路状態が不良な商用ＡＣ電力線を使用する場合にも、正常な情報信号の伝送が可能な電力線通信装置を実現することができる。
【００７９】
（実施の形態８）
図３は、本発明の実施の形態８の電力線通信装置の概略構成をも示す図である。
【００８０】
以下、本発明の実施の形態８の電力線通信装置について、図３を用いて説明する。
【００８１】
本発明の実施の形態８の電力線通信装置では、実施の形態７の電力線通信装置の動作に加えて、映像信号や音声信号および制御信号などの情報信号を、ＡＣ電力供給端子部８に接続されたＡＣ電力線を介して受信して記憶する場合には、ＡＣ電力供給端子部８は、接続されたＡＣ電力線を介して、第２のＡＣ電力に第３の電力線通信情報信号が重畳された第３の電力線通信信号が入力され、第２のＡＣ／信号重畳分離部３は、ＡＣ電力供給端子部８から入力された第３の電力線通信信号を受信して、第２のＡＣ電力と第３の電力線通信情報信号に分離して出力し、第２の電力線通信処理部１２は、第２のＡＣ／信号重畳分離部３から出力された第３の電力線通信情報信号から、情報信号を取得して出力し、記憶部１３は、第２の電力線通信処理部１２から出力された情報信号を記憶し、記憶部１３に記憶された情報信号を、商用ＡＣ電力線を介して送信する場合には、記憶部１３は記憶された情報信号を読み出し、第１の電力線通信処理部１１は、記憶部１３から読み出された情報信号に電力線通信に必要な処理を施して、第４の電力線通信情報信号を生成して出力し、第１のＡＣ／信号重畳分離部２は、第１の電力線通信処理部１１から出力された第４の電力線通信情報信号を第１のＡＣ電力に重畳して、第４の電力線通信信号を生成して商用ＡＣ電力線を介して出力する。
【００８２】
これにより本実施の形態では、例えばＡＣ電力供給端子部８に接続された電力線通信対応機器であるレコーダに蓄積されている映像信号を、商用ＡＣ電力線に接続されている電力線通信対応機器であるＡＶサーバーにアップロードする場合に、商用ＡＣ電力線に多くのノイズが発生していて伝送路状態が不良である場合には、本実施の形態の電力線通信装置により、ＡＣ電力供給端子部８に接続された電力線通信対応機器であるレコーダから、ノイズを除去した第２のＡＣ電力に重畳されて伝送される映像信号を、第２のＡＣ／信号重畳分離部３、第２の電力線通信処理部１２を介して受信し、一度電力線通信に必要な処理を解いた上で、映像信号を記憶部１３に蓄積した後に、再度第１の電力線通信処理部１１、第１のＡＣ／信号重畳分離部２を介して電力線通信に必要な処理を施して、従来例のところで述べたような方法によりデータ伝送の信頼性を確保した上で、商用ＡＣ電力線に重畳することで、欠落を生じることなく伝送することができる。
【００８３】
なお、ここでは、ＡＣ電力供給端子部８に接続された電力線通信対応機器から受信して記憶部１３に記憶したデータを、商用ＡＣ電力線を介して送信する場合について説明したが、商用ＡＣ電力線を介して送信するデータは、あらかじめ記憶部１３に記憶しておいたデータであっても良いし、例えばＤＶＤなどの媒体に記録されているデータを再生したものであっても良い。
【００８４】
なお、ＡＣ電力供給端子部８に接続された電力線通信対応機器から受信するデータは、本実施の形態の電力線通信装置を制御するための制御信号であっても良く、必ずしも記憶部１３に記憶する必要はない。
【００８５】
以上のように本実施の形態によれば、伝送路状態が不良な商用ＡＣ電力線を使用する場合にも、正常な情報信号の伝送が可能な電力線通信装置を実現することができる。
【００８６】
（実施の形態９）
図３は、本発明の実施の形態９の電力線通信装置の概略構成をも示す図である。
【００８７】
以下、本発明の実施の形態９の電力線通信装置について、図３を用いて説明する。
【００８８】
本発明の実施の形態９の電力線通信装置では、実施の形態７および実施の形態８の電力線通信装置の動作時に、第１の電力線通信処理部１１および第２の電力線通信処理部１２に含まれる図示しない伝送路状態検出部が、それぞれ伝送路として使用しているＡＣ電力線のノイズ状態などを検出し、その検出結果に基づいて、同じく第１の電力線通信処理部１１および第２の電力線通信処理部１２に含まれる図示しない伝送方式変更部により、その伝送路にとって最適な伝送方式を選択して伝送を行う。ここで、伝送路状態の検出方法および最適な伝送方式の決定方法などは、従来例のところで述べたような方法と同様である。
【００８９】
これにより本実施の形態では、使用するＡＣ電力線ごとに、その伝送路状態が良好な場合には、高速伝送に適した方式で通信を行い、伝送路状態が不良な場合には、耐ノイズ性の高い方式で通信を行う。
【００９０】
以上のように本実施の形態によれば、伝送路状態が不良な商用ＡＣ電力線を使用する場合にも、正常な情報信号の伝送が可能な電力線通信装置を実現することができる。
【００９１】
（実施の形態１０）
図３は、本発明の実施の形態１０の電力線通信装置の概略構成をも示す図である。
【００９２】
以下、本発明の実施の形態１０の電力線通信装置について、図３を用いて説明する。
【００９３】
本発明の実施の形態１０の電力線通信装置では、実施の形態７、実施の形態８および実施の形態９の電力線通信装置の動作時に、第１の電力線通信処理部１１から記憶部１３への書き込み動作と、記憶部１３から第２の電力線通信処理部１２への読み出し動作、および第２の電力線通信処理部１２から記憶部１３への書き込み動作と、記憶部１３から第１の電力線通信処理部１１への読み出し動作は同時に行うことができる。
【００９４】
これにより本実施の形態では、一方のＡＣ電力線から電力線通信により映像信号を受信しながら、同時にもう一方のＡＣ電力線から蓄積された映像信号を送信することができる。
【００９５】
以上のように本実施の形態によれば、一方のＡＣ電力線からの受信が完了するまで待つことなく、もう一方のＡＣ電力線への送信を開始することができる。
【産業上の利用可能性】
【００９６】
本発明にかかる電力線通信装置は、ＡＣ電力線に接続するだけで簡単に使用でき、時々刻々と変化する商用ＡＣ電力線を伝送路として使用した場合にも、データが欠落することなく電力線通信による伝送を行うことができ、映像信号の視聴など高速性が必要な場合には、商用ＡＣ電力線とはノイズ的に分離したＡＣ電力線を使用して電力線通信による伝送を行うことができるため、電力線通信装置および電力線通信の中継装置としても有用である。
【図面の簡単な説明】
【００９７】
【図１】本発明の実施の形態１乃至実施の形態３における電力線通信装置の概略構成を説明する図
【図２】本発明の実施の形態４乃至実施の形態６における電力線通信装置の概略構成を説明する図
【図３】本発明の実施の形態７乃至実施の形態１０における電力線通信装置の概略構成を説明する図
【図４】従来の電力線通信装置の概略構成を説明する図
【図５】ＡＣ電力に電力線通信情報信号を重畳する様子を説明する図
【符号の説明】
【００９８】
１  ＡＣ電力入力端子部
２  第１のＡＣ／信号重畳分離部
３  第２のＡＣ／信号重畳分離部
４、９  選択部
５  電力線通信処理部
６、１３  記憶部
７  ノイズフィルタ部
８  ＡＣ電力供給端子部
１０  信号重畳分離部
１１  第１の電力線通信処理部
１２  第２の電力線通信処理部
【図１】
2007235798.tif 000003
【図２】
2007235798.tif 000004
【図３】
2007235798.tif 000005
【図４】
2007235798.tif 000006
【図５】
2007235798.tif 000007